(57)【要約】  特に風力設備におけるケーブル又はケーブル束などの索形状の部材を固定及び／又は案内する装置であって、保持ボディを有し、前記保持ボディがモジュール式固定システムを形成するためにスターボディの形状の支持体構造と組み合わせ可能であって、少なくとも１つの索部材のための索挿通部を有し、かつ、それぞれ索挿通部の一部分を有する２つの部分ボディから形成されている、前記装置は、支持体構造のスターボディの互いに連続するスポークの互いに対して平行に延びる面の間に、その外側へ向かって開放した、互いに平行な側を有する、保持ボディのための組み込み空間が形成されており、かつ、各部分ボディとそれぞれ隣接するスポークとの間に保持装置が設けられており、前記保持装置によって部分ボディが組み込み位置において支持体構造に、かつ保持ボディを完成させるように互いに接触するように、取り外しできるように固定可能であることを特徴としている。【選択図】図７
2017537593.tif 000002
【特許請求の範囲】
【請求項１】
特に風力設備におけるケーブル又はケーブル束などの索形状の部材を固定及び／又は案内する装置であって、保持ボディ（５）を有し、前記保持ボディがモジュール式固定システムを形成するためにスターボディの形状の支持体構造（３）と組み合わせ可能であって、少なくとも１つの索部材のための索挿通部（３１）を有し、かつ、それぞれ索挿通部（３１）の一部分（２９）を有する２つの部分ボディ（２５、２７）から形成されている、特に風力設備におけるケーブル又はケーブル束などの索形状の部材を固定及び／又は案内する装置において、
支持体構造（３）のスターボディの互いに連続するスポーク（９）の互いに対して平行に延びる面（１３）の間に、その外側へ向かって開放した、互いに平行な側を有する、保持ボディ（５）のための組み込み空間（２１）が形成されており、かつ
各部分ボディ（２５、２７）とそれぞれ隣接するスポーク（９）との間に保持装置（５９、６１、６３）が設けられており、前記保持装置によって部分ボディ（２５、２７）が組み込み位置において支持体構造（３）に、かつ保持ボディ（５）を完成させるように互いに接触するように、取り外しできるように固定可能であることを特徴とする、特に風力設備におけるケーブル又はケーブル束などの索形状の部材を固定及び／又は案内する装置。
【請求項２】
部分ボディ（２５、２７）が、２つの同一部品から形成されている、ことを特徴とする請求項１に記載の装置。
【請求項３】
保持装置が、スポーク（９）の組み込み空間（２１）へ向いた側と、それに対応づけられた、部分ボディ（２５、２７）の側に、取り外し可能に係止するための係止手段（５９、６１、６３）を有している、ことを特徴とする請求項１又は２に記載の装置。
【請求項４】
部分ボディ（２５、２７）が、スポーク（９）へ向いた２つの側に凹部（４３）を有しており、前記凹部がそれぞれ通路を形成し、前記通路は、部分ボディ（２５、２７）が組み込み空間（２１）内へ挿入される場合に、隣接するスポーク（９）の少なくとも一部（１３）を収容する、ことを特徴とする請求項１〜３のいずれか１項に記載の装置。
【請求項５】
係止手段（５９、６１、６３）が、部分ボディ（２５、２７）の挿入によって係止が実現するように、形成されている、ことを特徴とする請求項１〜４のいずれか１項に記載の装置。
【請求項６】
係止手段がスポーク（９）に、各隣接する部分ボディ（２５、２７）のために掘り下げられた係止ノッチ（５９、６１）を、そしてそれらと協働するために部分ボディ（２５、２７）にそれぞれ係止突片（６３）を有し、前記係止突片が通路状の凹部（４３）内でそれぞれ可撓性の舌片（６５）に配置されている、ことを特徴とする請求項１〜５のいずれか１項に記載の装置。
【請求項７】
それぞれの保持ボディ（５）の、支持体構造（３）において外側に位置する部分ボディ（２５）に対応づけられた、スポーク（９）の係止ノッチ（６１）が、フック形状に張り出す阻止面（６１）を形成し、前記阻止面が、該当する部分ボディ（２５）の対応づけられた係止突片（６３）と共に形状結合によって前記部分ボディが抜け出すことを阻止し、かつ、
外側に位置する部分ボディ（２５）の係止突片（６３）の可撓性の舌片（６５）が、係止係合を解除するために接近可能である、ことを特徴とする請求項１〜６のいずれか１項に記載の装置。
【請求項８】
スター形状の支持体構造（３）が、組み込み空間（２１）の内側の仕切りとして、八面体の形式の非円形のインナーリング（１１）を有し、かつ、
保持ボディ（５）の部分ボディ（２５、２７）がその、係止突片（６３）を有する側の間に延びるまっすぐな終端側（４６）に、通路形状の凹部（４５）を有しており、内側に位置する部分ボディ（２７）において、スター形状の支持体構造（３）のインナーリング（１１）が前記凹部内へ嵌入する、ことを特徴とする請求項１〜７のいずれか１項に記載の装置。
【請求項９】
部分ボディ（２５、２７）に、索挿通部（３１）の半分を形成するくぼみ（２９）の他に、スポーク（９）に対応づけられた側に対して垂直の、部分ボディ（２５、２７）の接触のための、それぞれ平坦な接触面（３７）が形成されており、かつ、
接触面（３７）に、それぞれ突出する位置決めピン（３９）と、接触する部分ボディ（２５、２７）のピン（３９）を嵌入させるために設けられた嵌め合い孔（４１）とが形成されている、ことを特徴とする請求項１〜８のいずれか１項に記載の装置。
【請求項１０】
組み込み空間（２１）内に位置する保持ボディ（５）にわたって案内される締めつけバンド（６９）が設けられている、ことを特徴とする請求項１〜９のいずれか１項に記載の装置。
【請求項１１】
締めつけバンド（６９）の互いに直径方向に対向する側において、この締めつけバンドに、風力設備のタワー内に垂直に配置されている走行レール（７）とガイド係合するためのガイドローラ（７３）が取り付けられている、ことを特徴とする請求項１〜１０のいずれか１項に記載の装置。
【請求項１２】
それぞれの保持ボディ（５）の索挿通部（３１）が、挿通される索部材のための磨耗に効果的な、特に挿通部（３１）の角丸の終端縁（３３）を備えた、幾何学配置を有している、ことを特徴とする請求項１〜１１のいずれか１項に記載の装置。
【発明の詳細な説明】
【技術分野】
【０００１】
本発明は、特に風力設備におけるケーブル又はケーブル束などの索形状の部材を固定及び／又は案内する装置に関するものであって、保持ボディを有し、その保持ボディが、モジュール式固定システムを形成するために、スターボディの形式の支持体構造と組み合わせ可能であって、少なくとも１つの索部材のための索挿通部を有し、かつ、索挿通部のそれぞれ一部を包囲する２つの部分ボディから形成されている。
【背景技術】
【０００２】
風力設備内で発生されるエネルギを運び出すため、かつ制御、監視などのような他の経営上の目的のために、タワーを通って機械内へ通じるケーブルと導線が、支持体構造を介してタワー内に、特にタワーセグメントに、確実に固定される。これに関する従来技術として、ある特許文献において、冒頭で挙げた種概念の装置が開示されている（例えば、特許文献１参照。）。この既知の装置において、支持体構造は、円環のディスクの形状を有しており、その中に周面に沿って円い保持ボディ用の円い収容室が設けられており、その場合にある種のスター形状を形成するために、組み込み空間から外側へ向かって延びるスリット開口部が設けられており、そのスリット開口部の幅は、組み込み空間のサイズよりも小さい。この構造において保持ボディの組み込みを可能にするために、ディスクは２つの等しい、互いに螺合可能なプレートから構成されている。
【先行技術文献】
【特許文献】
【０００３】
【特許文献１】独国特許出願公開第１０２０１２０１９４９３号明細書
【発明の概要】
【発明が解決しようとする課題】
【０００４】
この従来技術から出発して、本発明の課題は、特に、モジュール式固定システムの構造に関しても、該当する索部材を索挿通部内へ挿入することに関しても、組み立て易さを特徴とする、冒頭で挙げた種概念の装置を提供することである。
【課題を解決するための手段】
【０００５】
本発明によれば、この課題は、その全体において特許請求項１の特徴を有する装置によって解決される。
【０００６】
請求項１の特徴部分によれば、本発明の本質的な特殊性は、スターボディの互いに連続するスポークの互いに対して平行に延びる面の間に、その外側へ向かって開放した、互いに対して平行な側を備えた、保持装置のための組み込み空間が形成されていること、及び、各部分ボディとそれぞれ隣接するスポークとの間に保持装置が設けられており、その保持装置によって部分ボディが組み込み位置において支持体構造に、かつ保持ボディを完成させるように互いに接触するように、取り外し可能に固定できること、にある。それによって所望の数の保持ボディを任意の相互配置において任意の配置で使用することにより、簡単なやり方で任意の固定システムが構築され、組み込みプロセスのために支持体構造のプレートを分離して、再び互いに固定する必要はない。本発明に基づいてさらに、保持ボディの部分ボディがそれぞれそれ自体保持装置によって組み込み空間内に固定可能であることにより、索部材の挿入の取り付けプロセスが好ましいやり方で簡略化される。というのは、内側の部分ボディの挿入と固定後の挿入プロセスは、組み込み空間の開放した端部から快適なやり方で行うことができるからであり、それによって外側の部分ボディも同様に組み込み空間内へ導入されて、保持装置によって固定される。
【０００７】
したがって特に好ましいやり方で、閉成された索挿通部を通して索部材を挿通する必要がなくなる。
【０００８】
本発明に係る装置は、合理的なやり方で、２つの同一部品から形成される部分ボディによって形成することができ、その部分ボディは好ましくはプラスチック材料から一体的に射出成形されている。
【０００９】
保持装置の形成に関して、好ましくは配置は、保持装置がスポークの、組み込み空間へ向いた側と、部分ボディのそれに対応づけられた側に、取り外し可能な係止のための係止手段を有するように、行うことができる。その場合に取り付けプロセスは、係止手段が部分ボディを組み込み空間内へ挿入する際に自動的に係止が行われるように形成されている場合に、特に簡単かつ快適に構成される。
【００１０】
特に好ましい実施例において、部分ボディはスポークへ向いた２つの側に凹部を有しており、その凹部が通路を形成し、その通路は部分ボディを組み込み空間内へ挿入する場合に対応づけられたスポークの少なくとも一部を収容する。それによって部分ボディの挿入後に、通路壁と支持体構造のスポークとの間に形成される形状結合によって、索部材を介して作用する軸方向力に抗して保持ボディの固定が行われる。
【００１１】
保持装置の形成に関して、好ましくは配置は、係止手段がスポークに、それぞれ隣接する部分ボディのために掘り下げられた係止ノッチを、そしてその係止ノッチと協働するために部分ボディにそれぞれ係止突片を有し、その係止突片は通路形状の凹部内でそれぞれ可撓性の舌片に配置されるように、行うことができる。
【００１２】
保持装置によって保持ボディを組み込み空間から滑り出さないように特に確実に固定するために、保持装置は、好ましくは、それぞれの保持ボディの、支持体構造において外側に位置する部分ボディに対応づけられた、スポークの係止ノッチが、フック形状に張り出す阻止面を形成し、その阻止面が該当する部分ボディの対応する係止突片と共に形状結合によって部分ボディが滑り出すことを阻止するように、形成することができる。しかし、工具の使用を必要とすることなしに、保持ボディを意図的に取り外すことを可能にするために、配置は、外側に位置する部分ボディの係止突片の可撓性の舌片が、係止係合を解除するために接近可能であるように、行うことができる。
【００１３】
特に好ましい実施例において、スター形状の支持体構造は、組み込み空間の内側の仕切りとして、八面体の形状の非円形のインナーリングを有しており、その場合に保持ボディの部分ボディはそのまっすぐな、係止突片を有する側の間に延びる終端側に通路形状の凹部を有しており、内側に位置する部分ボディにおいてスター形状の支持体構造のインナーリングがその凹部内へ嵌入する。それによって保持ボディは、径方向内側へ向かう摺動に対して固定されるだけでなく、インナーリングの把持によって付加的に軸方向力に対しても固定される。
【００１４】
好ましい実施例において、部分ボディには、索挿通部の半分を形成する凹部の他に、部分ボディの接触のために、それぞれ平坦な、スポークに対応づけられた側に対して垂直な接触面が形成されており、その場合に接触面にはそれぞれ張り出す位置決めピンと、接触する部分ボディのピンと係合するために設けられた孔とが形成されている。
【００１５】
形成された固定システムを構造的にしっかりとまとめるために、本発明に係る装置においては、好ましくは、組み込み位置にある保持ボディの外側にわたって案内される締めつけバンドが設けられている。この締めつけバンドは、手動で操作可能なクィックリリースロックによって締めつけることができる。
【００１６】
通常の風力設備においては、ケーブル束がジェネレータユニットから出てタワー内へ垂れ下がる、そのジェネレータを有するパワーハウスは駆動中に、パワーハウスを戻し直す前に３回まで回転を実施することができるので、その際に行われる回転においてケーブル束の長さ変化が生じる。したがって、タワー内に回転できないように支承されている支持体構造のために、垂直の運動可能性を設けることが必要である。これに関して本発明の好ましい実施例において、配置は、締めつけバンドの互いに直径方向に対向する側において、この締めつけバンドに、風力設備のタワー内に垂直に配置されている走行レールとガイド係合するためのガイドローラが取り付けられるように、行われる。
【００１７】
束が回転する際にケーブルの方向変化が行われた場合に、ケーブルの局所的な過負荷及び保持ボディの領域内の絶縁がもたらされることを、回避するために、それぞれの保持ボディの索挿通部は、好ましくは、挿通される索部材のために摩擦的に好ましい、特に挿通部の角丸の終端縁を備えた、幾何学配置を有している。
【００１８】
以下、図面に示す実施例を用いて本発明を詳細に説明する。
【図面の簡単な説明】
【００１９】
【図１】風力設備のタワー内で走行レールに接して垂直に移動可能に案内されている、本発明に係る装置の実施例を示す斜視図である。
【図２】走行レールなしで、図１に比較して拡大した縮尺で示す斜視図である。
【図３】実施例の支持体構造を別に示す上面図である。
【図４】装置の実施例の個々の保持ボディを拡大した縮尺で示す斜視図である。
【図５】保持ボディを示す斜視図であって、その場合にその部分ボディが互いから引き離して示されている。
【図６】個々の部分ボディを、さらに拡大した縮尺で示す斜視図である。
【図７】個々の保持ボディを組み込んだ位置と、中央の径方向断面において示す、破断した部分斜視図である。
【発明を実施するための形態】
【００２０】
本発明に係る装置が、図面を用いて固定システムの例で説明され、その固定システムは、風力設備の（図示されない）タワー内でケーブル束のケーブルを案内し、かつ固定するために設けられている。その場合に上述した従来技術（独国特許出願公開第１０２０１２０１９４９３号明細書）にしたがって、然るべき数の保持ボディ５を有する支持体構造３が、図示されないタワー内に垂直に取り付けられた走行レール７に接して垂直に摺動可能であるが、回転できないように支承されている。支持体構造３は、図３と７においてもっともよく読み取ることができるように、８つのスポーク９を有するスターボディの形状を有し、それらのスポークは、八面体の形状を有する非円形のインナーリング１１から離れるように外側へ向かって延びている。スポーク９は、アーム１３から形成されており、そのアームが、インナーリング１１における結合箇所１５から出て互いに対して発散するように外側へ向かって延びており、その場合に各スポーク９のアーム１３は横ベルト１７によって互いに結合されている。互いに連続するスポーク９の間の間隙を画成するアーム１３は、互いに対して平行に延びているので、互いに連続する２つのスポーク９の、アーム１３に形成されているスポーク面は、それぞれ対応づけられた、インナーリング１１の八角側と共に、保持ボディ５用の組み込み空間２１を形成している。スポーク９のアーム１３に設けられたスポーク面が平行に延びており、かつ、インナーリング１１の隣接する八角側１９がそれに対して垂直に延びている場合に、組み込み空間２１は外側が開放した矩形、ここでは正方形の形状を有している。保持ボディ５は、組み込み空間２１に適合した、角丸の端部領域２３を備えた方形の輪郭形状を有しており、それぞれ２つの部分ボディ２５と２７からなる。これらは、プラスチック材料から同一部品として射出成形されている。各部分ボディ２５、２７は、中央に位置する半円形状のくぼみ２９を有しており、それらのくぼみは、部分ボディ２５、２７が互いに接触した場合に、閉成された、円環状の索通路３１を画成する。索通路３１を通して案内される索部材を磨耗しないように支承するために、くぼみ２９の終端縁３３は面取りを有している。図面には示されていない、挿入される索部材の固定を支援するために、くぼみ２９内の中央に、周方向に延びる、わずかに突出したリブ３５が形成されている。
【００２１】
図５は、部分ボディ２５、２７を互いに切り離した位置で示しており、その場合に明らかなように、くぼみ２９の端部にそれぞれ平坦な接触面３７が設けられており（図５と６を参照）、その接触面において、保持ボディ５に一体化される部分ボディ２５、２７が互いに接触する。各接触面３７内には、突出する位置決めピン３９と嵌め合い孔４１が設けられている。
【００２２】
保持ボディ５の、接触面３７を有する側において、部分ボディ２５、２７内にそれぞれ通路形状の凹部４３が設けられており、その凹部は側全体に沿って直線で延びており、かつ、上方と下方の結合する終端側４６において凹部４５へ移行しており、その凹部は終端側４６の内部に位置し、かつ側方の凹部４３を接続する。側方の凹部４３は蟻溝状の形態を有しているが（図５と６を参照）、終端側４６に設けられた凹部４５は、一部だけ番号をふってある羽根４９によって幅を制限されており、それらの羽根は平面状の前側５１と同様に平面状の後ろ側５３から離れるように凹部４５内へ延びている。これらの羽根４９が凹部４５を通路幅に狭め、その通路幅は、金属の材料から形成されたインナーリング１１の材料厚みに相当する。したがって保持ボディ５が組み込み空間２１内へ挿入された場合に、まっすぐな八角側１９がそれぞれ向き合った凹部４５内へぴったりと嵌入するので、インナーリング１１に支承された保持ボディ５が軸方向力に抗して八角側１９に形状結合で固定される。
【００２３】
側面に沿って延びる凹部４３内で、互いに対して張り出す、終端側のゆるい斜面５７を有するストリップ５５が凹部４３を通路幅に制限し、その通路幅は同様に支持体構造３の材料厚みに相当するので、それぞれの保持ボディ５が組み込み空間２１内へ挿入された場合に、それぞれ隣接するスポーク９のアーム１３が凹部４３内へぴったりと嵌入するので、アーム１３においても形状結合の支承が形成される。保持ボディ５の各部分ボディ２５と２７は、挿入された組み込み位置において、それ自体、隣接するスポーク９の該当するアーム１３に取り外し可能に固定される。これに関する保持装置として、係止手段が設けられており、その係止手段は、保持ボディ５が挿入される場合に自動的に係止を形成する。そのために、スポーク９のアーム１３には、各部分ボディ２５、２７のために、掘り下げた係止ノッチが、特に内側に位置する部分ボディ２７のために係止ノッチ５９が、そして外側に位置する部分ボディ２５のためには係止ノッチ６１が、形成されている。これらと協働するために、部分ボディ２５、２７には、係止突片６３が設けられており、これらの係止突片はフレキシブルな舌片６５において張り出しており、その舌片は、図６からもっともよく読み取ることができるように、接触面３７から始まって凹部４３内へ張り出している。舌片６５が弾性的に撓むことができる場合に、係止突片６９は、保持ボディ５を挿入する場合に、係止を形成するために自動的にノッチ５９、６１内へ進入する。外側の係止ノッチ６１は、係止を形成する場合に上方の部分ボディ２５が持ち上がって抜けることに対してある種のフックを形成する。意図的な取り外しプロセスのためにこの係止ノッチを外すために、組み込まれた状態を示す図７から読み取ることができるように、上方の部分ボディ２５の舌片６５の端部は、上から接近できるので、係止は、工具使用なしで手動で外すことができる。上方の部分ボディ２５が取り出された後に、下方の部分ボディ２７は、舌片６５の力結合のみによって形成されている保持力に抗して抜き出すことができ、その場合に係止突片６３を有する舌片６５が、ノッチ５９に連続する斜面に沿って内側へ移動される。
【００２４】
風力設備において固定システムとして使用される装置（この装置において支持体構造３は好ましくは金属の材料から形成されている）を特に構造的にしっかりと、かつ短絡に耐えるように形成するために、システムをより確実にまとめるために、外周にわたって案内される締めつけバンド６９が設けられており、その締めつけバンドは、締めつけバンドについて一般的な構造のクィックリリースロック７１によって締めつけ可能である。支持体構造３と保持ボディ５から形成される全体構造を、該当するタワーの走行レール７に接して案内するために、締めつけバンド６９の互いに直径方向に対向する側において、この締めつけバンドにそれぞれ１対の走行ローラ７３が設けられており、その走行ローラが支持体７５に支承されており、その支持体が、締めつけバンドと溶接された保持ブラケット７７に固定されている。
【００２５】
なお、半円形状のくぼみ２９によって形成される、円環状の索挿通部３１の代わりに、他の形状のものを設けることができ、かつシステムのくぼみとして設けられた個々の保持ボディ５内の索挿通部３１を互いに異なる大きさで形成することができる。この例において示されている８つの保持ボディ５の代わりに、たとえば任意の組み込み空間２１が形成されるように、異なる数の保持ボディを支持構造３に、設けることができる。
【図１】
2017537593.tif 000003
【図２】
2017537593.tif 000004
【図３】
2017537593.tif 000005
【図４】
2017537593.tif 000006
【図５】
2017537593.tif 000007
【図６】
2017537593.tif 000008
【図７】
2017537593.tif 000009
【国際調査報告】
2017537593.tif 000010
2017537593.tif 000011
2017537593.tif 000012
2017537593.tif 000013
2017537593.tif 000014
2017537593.tif 000015